Podtech/llm-jp-corpus-v4-ja_patent huggingface dataset:
【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
眼鏡レンズの周縁加工時に使用するカップを被加工レンズに取り付けるカップ取付け装置において、被加工レンズの径より大きな径に整形された光束により被加工レンズを照明する照明手段と、該照明手段により形成されるレンズ像を投影するスクリーンと、該スクリーンに投影されたレンズ像を撮像する撮像手段と、該撮像されたレンズ像を表示する表示画面を持つ表示手段と、被加工レンズが二重焦点レンズのときにその小玉部分に基づいてレンズをアライメントするための位置合わせマークを前記表示画面上に形成するマーク形成手段と、二重焦点レンズの小玉部分に対するカップ取付け中心のレイアウトを変更するためのデータを入力する変更データ入力手段と、該入力されたデータに基づいて前記位置合わせマークの表示位置を変更する表示制御手段とを備え、前記表示画面上に表示される位置合わせマークと二重焦点レンズの小玉像を観察してカップ取付けのための位置合わせを行うことを特徴とするカップ取付け装置。
【請求項２】
眼鏡レンズの周縁加工時に使用するカップを被加工レンズに取り付けるカップ取付け装置において、被加工レンズの径より大きな径に整形された光束により被加工レンズを照明する照明手段と、該照明手段により形成されるレンズ像を投影するスクリーンと、該スクリーンに投影されたレンズ像を撮像する撮像手段と、該撮像されたレンズ像を表示する表示画面を持つ表示手段と、被加工レンズが累進焦点レンズのときにその隠しマークに基づいてレンズをアライメントするための位置合わせマークを前記表示画面上に形成するマーク形成手段と、累進焦点レンズの隠しマークに対するカップ取付け中心のレイアウトを変更するためのデータを入力する変更データ入力手段と、該入力されたデータに基づいて前記位置合わせマークの表示位置を変更する表示制御手段とを備え、前記表示画面上に表示される位置合わせマークと累進レンズの隠しマークに付された印像を観察して位置合わせを行うことを特徴とするカップ取付け装置。
【手続補正２】
【補正対象書類名】明細書
【補正対象項目名】０００７
【補正方法】変更
【補正の内容】
【０００７】
（１）  眼鏡レンズの周縁加工時に使用するカップを被加工レンズに取り付けるカップ取付け装置において、被加工レンズの径より大きな径に整形された光束により被加工レンズを照明する照明手段と、該照明手段により形成されるレンズ像を投影するスクリーンと、該スクリーンに投影されたレンズ像を撮像する撮像手段と、該撮像されたレンズ像を表示する表示画面を持つ表示手段と、被加工レンズが二重焦点レンズのときにその小玉部分に基づいてレンズをアライメントするための位置合わせマークを前記表示画面上に形成するマーク形成手段と、二重焦点レンズの小玉部分に対するカップ取付け中心のレイアウトを変更するためのデータを入力する変更データ入力手段と、該入力されたデータに基づいて前記位置合わせマークの表示位置を変更する表示制御手段とを備え、前記表示画面上に表示される位置合わせマークと二重焦点レンズの小玉像を観察してカップ取付けのための位置合わせを行うことを特徴とする。
（２）  眼鏡レンズの周縁加工時に使用するカップを被加工レンズに取り付けるカップ取付け装置において、被加工レンズの径より大きな径に整形された光束により被加工レンズを照明する照明手段と、該照明手段により形成されるレンズ像を投影するスクリーンと、該スクリーンに投影されたレンズ像を撮像する撮像手段と、該撮像されたレンズ像を表示する表示画面を持つ表示手段と、被加工レンズが累進焦点レンズのときにその隠しマークに基づいてレンズをアライメントするための位置合わせマークを前記表示画面上に形成するマーク形成手段と、累進焦点レンズの隠しマークに対するカップ取付け中心のレイアウトを変更するためのデータを入力する変更データ入力手段と、該入力されたデータに基づいて前記位置合わせマークの表示位置を変更する表示制御手段とを備え、前記表示画面上に表示される位置合わせマークと累進レンズの隠しマークに付された印像を観察して位置合わせを行うことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】
試料の特性の測定、及び測定データの解析を行う分析装置において、
入出力を行うためのユーザインターフェイス手段（１）と、
測定時に使用する測定情報、解析時に使用する解析情報、及びそれら測定情報や解析情報に対応するコメント等からなる分析情報（２）を記憶する分析情報記憶手段（３）と、
分析情報（２）をユーザインターフェイス手段（１）に対して可視的に表示することを指示する分析情報表示指示手段（４）と、
ユーザインターフェイス手段（１）を通じて分析情報（２）に対してコメントを作成及び編集するためのコメント作成手段（５）と、
ユーザインターフェイス手段に表示されている複数の分析情報（２）の中から、任意の分析情報を選択するための分析情報選択手段（６）と、
選択された分析情報（２）に対応するコメントを分析情報記憶手段（３）から取り出し、ユーザインターフェイス手段（１）に表示することを指示するコメント表示指示手段（８）と、
を備えることを特徴とする分析装置。
【請求項２】
コメント表示指示手段（８）は設定により、コメントを非表示にする請求項１記載の分析装置。
【請求項３】
分析情報（２）は、さらに測定情報及び解析情報と、コメントとの対応関係を維持するための関連情報を含むことを特徴とする請求項１記載の分析装置。
【請求項４】
試料の特性の測定、及び測定データの解析を行う分析装置において、
入出力を行うためのユーザインターフェイス手段（１）と、
測定時に使用する測定情報、解析時に使用する解析情報、及びそれら測定情報や解析情報に対応するコメント等からなる分析情報（２）と、
分析情報（２）を記憶する分析情報記憶手段（３）と、
分析情報（２）をユーザインターフェイス手段（１）に対して可視的にアイコンとして表示するアイコン表示手段と、
分析情報に対してコメントを作成及び編集するためのコメント作成手段（５）と、
該作成したコメントを記憶するコメント記憶手段と、
インターフェイス手段を通じて操作可能なカーソルと、
任意のアイコン上にカーソルが合わせられたときを感知して通知するカーソル感知手段と、
カーソル感知手段からの通知を受けて、カーソルが合わさったアイコンに対応するコメントの内容をコメント記憶手段から取り出し、ユーザインターフェイス手段（１）に表示するコメント表示手段と、
を備えることを特徴とする分析装置。
【手続補正２】
【補正対象書類名】明細書
【補正対象項目名】００１５
【補正方法】変更
【補正の内容】
【００１５】
分析情報表示ルーチン１６によりオペレータは表示されたアイコンによって分析情報の存在を一目で確認することができる。実施例では分析情報をアイコンによって可視的に表示しているが、ボタン形式や分析情報ファイル名のリスト形式など分析情報が可視的に表示できるのであればどのような形式で表示してもかまわない。
【手続補正３】
【補正対象書類名】明細書
【補正対象項目名】００１８
【補正方法】変更
【補正の内容】
【００１８】
コメント作成ルーチン１８は、分析情報に対してコメント２０を作成及び編集するためのルーチンである（アルゴリズムを図７に示す）。コメント作成ルーチン１８は初期化処理C1の後、分析情報取得処理C2によってカーソルがどの分析情報を選択したかを認識し、入力ウィンドウ表示処理C3によって選択された分析情報に対するコメントを入力するための入力ウィンドウを表示する。オペレータは入力ウィンドウを通じて、分析情報の利用目的や業務引継ぎにおける伝達事項等、任意に複数行のコメント２０を入力する。オペレータが入力ウィンドウを閉じると、コメント保存処理C4によって入力されたコメント２０を保存し、関連情報保存処理C5によってどの分析情報と対応しているコメント２０なのかを示す関連情報２１を保存する。実施例では分析情報とコメント２０を独立して持ち、その対応関係を関連情報２１によって管理する構成になっているが、分析情報とコメント２０の対応関係が把握できるのであればどのような構成であってもかまわない。
【手続補正４】
【補正対象書類名】明細書
【補正対象項目名】００２０
【補正方法】変更
【補正の内容】
【００２０】
コメント表示ルーチン１７は選択された分析情報に対応するコメント２０を表示するためのルーチンである（アルゴリズムを図８に示す）。コメント表示ルーチン１７は初期化処理D1の後、関連情報取得処理D2によって関連情報２１を参照し分析情報とコメントの関連を取得する。そして、コメント取得処理D3によって選択された分析情報に対応するコメント２０を読み込む。コメント表示設定ルーチン１９でコメントの表示を常に行うように設定がされていれば、図９のようにポップアップ形式でコメント２５を表示する。これによりオペレータは表示されたコメント２５によって分析情報の内容がどのようなものであるかを一目で確認することができる。
【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
排水口に取り外し自在に嵌合及び／又は載置することができ、その中央部分が菊割れ形状となった円形の菊割れ蓋において、外周縁部を構成する蓋本体が、その外周部に排水口の大きさに合わせて切り離し可能な同心円状の少なくとも１つの溝並びに蓋本体外周端部及び前記溝に切欠きを有していることを特徴とする排水口用菊割れ蓋。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
すなわち本発明は、排水口に取り外し自在に嵌合及び／又は載置することができ、その中央部分が菊割れ形状となった円形の菊割れ蓋において、外周縁部を構成する蓋本体が、その外周部に排水口の大きさに合わせて切り離し可能な同心円状の少なくとも１つの溝並びに蓋本体外周端部及び前記溝に切欠きを有していることを特徴とする排水口用菊割れ蓋（請求項１）に関する。
【手続補正書】
【提出日】平成17年2月8日(2005.2.8)
【手続補正１】
【補正対象書類名】明細書
【補正対象項目名】００１３
【補正方法】変更
【補正の内容】
【００１３】
特開平９−８４０３１における画像の方向性の判定方法も周辺のＧの画素信号を利用するものであり、特開平１０−１０８２０９と同様の問題点を持つ。また、特開平１１−２７５３７３では、補間する画素の位置で得られるＲあるいはＢの画素信号と周辺のＧの画素信号から画像の方向性の判定を行うことが述べられている。すなわち、実在しないＧ（２ｍ＋１，２ｎ＋１）の補間信号を生成する際は、Ｒ（２ｍ＋１，２ｎ＋１）とＧ（２ｍ，２ｎ＋１）あるいはＧ（２ｍ＋２，２ｎ＋１）の差から水平方向の変化を検出し、Ｒ（２ｍ＋１，２ｎ＋１）とＧ（２ｍ＋１，２ｎ）あるいはＧ（２ｍ＋１，２ｎ＋２）の差から垂直方向の変化を検出する。こうした隣り合う２画素から求めた差信号には周波数ｆｓ／２の周波数成分が含まれるので、広い周波数帯域にわたって方向性の判定が可能だが、彩度の高い被写体ではＲとＧの差信号に色彩に起因する差が含まれるので、方向性の判定結果の信頼性は低下する。
【手続補正書】
【提出日】平成16年12月15日(2004.12.15)
【手続補正１】
【補正対象書類名】明細書
【補正対象項目名】０１０５
【補正方法】変更
【補正の内容】
【０１０５】
有利な一実施形態では、物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）が無線リンクのセットアップ手順において割り当てられる場合、そのＰＤＳＣＨに関連付けられた処理コストは、ＤＬ  ＲＬコストに等しく、無線リンクの処理コストに加えて、能力クレジットから借用される。同様に、ＰＤＳＣＨが削除される場合、このコストは能力クレジットに戻され、ＰＤＳＣＨが再構成される場合、新しいコストと以前のコスト間の差も能力クレジットから借用される（または、差が負の場合、能力クレジットに戻される）。
【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】
洗濯衣類を洗濯兼脱水槽に投入するときに開閉する蓋と、この蓋を開かなくする蓋ロック機構と、前記蓋ロック機構によって前記蓋をロックした状態とロックしない状態とを切り換える蓋ロックスイッチと、前記ロックスイッチのＯＮ状態とＯＦＦ状態と切り換えを指令するマイコンとを備え、洗い、濯ぎ及び脱水の工程を実行する全自動洗濯機において、
前記マイコンは前記蓋ロック機構のＯＮ−ＯＦＦの状態を前記蓋ロックスイッチのＯＮ−ＯＦＦ信号に基づいて判断して、前記洗濯兼脱水槽の回転制動制御を行うことを特徴とする全自動洗濯機。
【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
外箱内に外槽を配設し、該外槽内に水平軸又は傾斜軸を中心に回転自在にドラムを設けたドラム式洗濯機において、
水道水を供給するため外部の給水ホースが接続される給水口と、
該給水口から供給される水の流通を制御する給水弁手段と、
洗濯用の水として外部の風呂水を吸い上げて供給する風呂水給水手段と、
洗剤容器を引き出し自在に備え、前記給水弁手段又は風呂水給水手段から供給される水を該洗剤容器を介して前記外槽へと注水する洗剤投入手段と、
を備え、前記洗剤投入手段の後方に給水弁手段を配置するとともに、該給水弁手段の側方に前記風呂水給水手段を配置したことを特徴とするドラム式洗濯機。
【請求項２】
外箱内に外槽を配設し、該外槽内に水平軸又は傾斜軸を中心に回転自在にドラムを設けたドラム式洗濯機において、
前記外箱の前面と上面との間を角を落とした曲面形状と成し、該曲面部に操作パネル、及び、洗剤容器の引出し用の把手を配置したことを特徴とするドラム式洗濯機。
【請求項３】
前記ドラムは前端面が後端面よりも高い位置となるように前上がり傾斜に配設され、前記外箱の前面は、前記ドラムの傾斜に対応して上方に向かうに従い後方に傾斜した形状を有することを特徴とする請求項２に記載のドラム式洗濯機。
【手続補正２】
【補正対象書類名】明細書
【補正対象項目名】０００８
【補正方法】変更
【補正の内容】
【０００８】
【課題を解決するための手段、及び効果】
上記課題を解決するために成された請求項１に係る発明は、外箱内に外槽を配設し、該外槽内に水平軸又は傾斜軸を中心に回転自在にドラムを設けたドラム式洗濯機において、
水道水を供給するため外部の給水ホースが接続される給水口と、
該給水口から供給される水の流通を制御する給水弁手段と、
洗濯用の水として外部の風呂水を吸い上げて供給する風呂水給水手段と、
洗剤容器を引き出し自在に備え、前記給水弁手段又は風呂水給水手段から供給される水を該洗剤容器を介して前記外槽へと注水する洗剤投入手段と、
を備え、前記洗剤投入手段の後方に給水弁手段を配置するとともに、該給水弁手段の側方に前記風呂水給水手段を配置したことを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
この請求項１に係る発明のドラム式洗濯機によれば、給水弁手段、洗剤投入手段及び、風呂水給水手段を、外箱内の上部空間に適切に配置して収納することができるので、外箱の大形化を防止することができる。また、風呂水給水手段と、給水弁手段及び洗剤投入手段とをスムーズに且つ短い距離で接続することができるので、接続のための部材のコストが廉価ですむ。
【手続補正１２】
【補正対象書類名】明細書
【補正対象項目名】００１８
【補正方法】変更
【補正の内容】
【００１８】
また、上記課題を解決するために成された請求項２に係る発明は、外箱内に外槽を配設し、該外槽内に水平軸又は傾斜軸を中心に回転自在にドラムを設けたドラム式洗濯機において、
前記外箱の前面と上面との間を角を落とした曲面形状と成し、該曲面部に操作パネル、及び、洗剤容器の引出し用の把手を配置したことを特徴としている。
【手続補正１３】
【補正対象書類名】明細書
【補正対象項目名】００１９
【補正方法】変更
【補正の内容】
【００１９】
この請求項２に係る発明のドラム式洗濯機によれば、斜め上方を指向した曲面部に操作パネルが配置されているため、使用者が立位姿勢のまま操作パネル上の操作キーを操作し易く、表示も見易い。また、操作パネルが前方に突出していないので、操作パネルで外箱前面の衣類投入口が隠れることもない。また、デザイン上も非常に見栄えがよくなる。更にまた、洗剤容器の下方よりも上方で外箱が後方に後退しているので、洗剤容器の前方への引き出し量が比較的小さくても、洗剤容器の上面を広く開口させることができ、洗剤や柔軟仕上げ剤などを収容し易いという効果もある。
【手続補正１４】
【補正対象書類名】明細書
【補正対象項目名】００２０
【補正方法】変更
【補正の内容】
【００２０】
なお、このドラム式洗濯機は、前記ドラムは前端面が後端面よりも高い位置となるように前上がり傾斜に配設され、前記外箱の前面は、前記ドラムの傾斜に対応して上方に向かうに従い後方に傾斜した形状を有する、いわゆる傾斜ドラムを備えたドラム式洗濯機に特に有用である。すなわち、このような構成では、デザイン上無理なく外箱の前面上部を後方に湾曲させることができる。
【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
電圧制御式ファンを制御する方法であって、
ファン速度を示す速度信号を受け取ることと、
前記ファンによって発生されるタコメータ信号を監視することと、
前記タコメータ信号を検出すると、前記ファンに印加される電圧を遮断することと、
前記速度信号および前記タコメータ信号に基づいて遅延時間を決定することと、
前記遅延時間の間待つことと、
前記遅延時間の経過後、前記ファンに電圧を印加することと
を備えていることを特徴とするファン制御方法。
【請求項２】
ファンのための適応同期ＤＣファンコントローラであって、前記ファンは、回転子、電圧制御式入力、および前記回転子の１つまたは複数の固定された回転位置に対応してタコメータ信号を出力するタコメータ出力を備え、前記適応同期ＤＣファンコントローラは、
位相ロックループであって、速度制御信号および前記タコメータ信号を受け取り、前記電圧制御式入力への入力用のパルス幅変調（ＰＷＭ）信号を発生する、位相ロックループを備え、
前記ＰＷＭ信号のオフ時間が、前記タコメータ信号の受け取りに基づいてトリガされ、かつ前記速度制御信号と前記タコメータ信号との間の測定された差に基づく継続時間を有する
ことを特徴とする適応同期ＤＣファンコントローラ。
【請求項３】
ファンユニットであって、
パルス幅変調（ＰＷＭ）信号のオン時間に比例した速度で回転する回転子を備え、前記回転子の１つまたは複数の固定された回転位置に対応してタコメータ信号を１回発生する、電圧制御式回転ファンと、
速度制御信号および前記タコメータ信号を受け取り、前記ＰＷＭ信号を発生する、位相ロックループを備えるファンコントローラであって、前記ＰＷＭ信号のオフ時間が、前記タコメータ信号の受け取りに基づいてトリガされ、かつ前記速度制御信号と前記タコメータ信号との間の測定された差に基づく継続時間を有する、ファンコントローラと、
前記電圧制御式回転ファンおよび前記ファンコントローラを収容するファンユニットハウジングと
を備えることを特徴とするファンユニット。
【手続補正書】
【提出日】平成16年9月28日(2004.9.28)
【手続補正１】
【補正対象書類名】明細書
【補正対象項目名】発明の名称
【補正方法】変更
【補正の内容】
【発明の名称】直流電源装置
【手続補正２】
【補正対象書類名】明細書
【補正対象項目名】特許請求の範囲
【補正方法】変更
【補正の内容】
【特許請求の範囲】
【請求項１】
着脱可能な蓄電池を電源とするコードレス電動工具に着脱可能なアダプタを介して直流電源を供給する直流電源装置であって、
直流電源装置の出力電流を検出する電流検出手段と、電流検出手段の検出電流値を所定時間毎に取り込み、検出した電流値を積算すると共に平均電流値を演算する制御手段とを備え、平均電流値が所定値を超えた状態が所定時間以上継続した時電源供給を停止することを特徴とした直流電源装置。
【請求項２】
前記電源供給遮断から所定時間後に電源供給を再開することを特徴とする請求項１記載の直流電源装置。
【請求項３】
前記検出電流値の積算を、電流値が所定値を超えた後に開始することを特徴とした請求項１記載の直流電源装置。
【請求項４】
前記平均電流値が所定値以下の時積算電流値をクリアすることを特徴とした請求項１記載の直流電源装置。
【請求項５】
着脱可能な蓄電池を電源とするコードレス電動工具に着脱可能なアダプタを介して直流電源を供給する直流電源装置であって、
直流電源装置の出力電流を検出する電流検出手段と、電流検出手段の検出電流値を第１所定時間毎に取り込み、検出した電流値を積算しこの積算した電流値から第1所定時間より長い第２所定時間毎の平均電流値を演算する制御手段とを備え、演算した平均電流値が所定値を超えた状態が第２所定時間より長い第３所定時間以上継続した時電源供給を停止することを特徴とした直流電源装置。
【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
撮影素子（２２４）及び回転制御部を有する回転軸（２２０）と、制御ハンドル（２１０）とを含む内部撮影プローブにおいて、前記回転制御部は前記撮影素子（２２４）を前記制御ハンドル（２１０）に対して回転させるプローブ。
【請求項２】
前記プローブは経食道心エコー図法用のプローブである請求項１記載のプローブ。
【請求項３】
前記回転制御部は回転制御ホイール（２２６）を含む請求項１記載のプローブ。
【請求項４】
前記回転軸（２２０）を通って前記制御ハンドル（２１０）の中へ延出する回転管（３２５）と、前記回転管（３２５）に固着された回転制御ホイール（２２６）とを更に含む請求項１記載のプローブ。
【請求項５】
前記回転管（３２５）と前記制御ハンドル（２１０）との間に配置され、前記回転管（３２５）と前記制御ハンドル（２１０）との間の摩擦を減少させる少なくとも１つのワッシャ（３３８、３３９）を更に含む請求項４記載のプローブ。
【請求項６】
前記回転管（３２５）と前記制御ハンドル（２１０）との間にシールを形成する少なくとも１つのＯリング（３３４）を更に含む請求項４記載のプローブ。
【請求項７】
固定内視鏡軸部（５１０）と、回転軸（５４０）と、前記固定内視鏡軸部（５１０）に固定されたモータ（５２０）と、前記モータ（５２０）に装着された駆動はめ歯歯車（５２６）と、前記回転軸（５４０）に装着された従動はめ歯歯車（５４６）とを更に含み、前記駆動はめ歯歯車（５２６）は前記従動はめ歯歯車（５４６）と動作係合して、前記回転軸（５４０）を前記制御ハンドル（２１０）に対して回転させる請求項１記載のプローブ。
【請求項８】
前記固定内視鏡軸部（５１０）と前記回転軸（５４０）との間の摩擦を減少させる軸受け（５３２）を更に含む請求項７記載のプローブ。
【請求項９】
前記回転軸（５４０）と前記固定内視鏡軸部（５１０）との間にシールを形成するＯリング（５３４）を更に含む請求項７記載のプローブ。
【請求項１０】
前記撮影素子（２２４）は変換器である請求項１記載のプローブ。
【請求項１１】
前記制御ハンドル（２１０）は、前記撮影素子（２２４）を制御する撮影制御素子（２１２）を含む請求項１記載のプローブ。
【請求項１２】
制動機構（８０５）を更に含み、前記制動機構（８０５）は前記回転軸（２２０）を１つの回転位置に係止しても良い請求項１記載のプローブ。
【請求項１３】
請求項１乃至１２のいずれかに記載のプローブを含む医療用撮影システム。
【請求項１４】
内部撮影プローブを含み、患者の内部構造を撮影するシステムにおいて、撮影素子（２２４）及び回転制御部を有する回転軸（２２０）と、前記回転軸（２２０）に接続された制御ハンドル（２１０）とを含み、前記回転制御部は前記制御ハンドル（２１０）の先端部に配置され、且つ前記回転制御部は前記撮影素子（２２４）を前記制御ハンドル（２１０）に対して回転させるように動作可能であるシステム。
【請求項１５】
前記プローブは経食道心エコー図法用のプローブである請求項１４記載のシステム。
【請求項１６】
前記回転管（３２５）と前記制御ハンドル（２１０）との間に配置され、前記回転管（３２５）と前記制御ハンドル（２１０）との間の摩擦を減少させる少なくとも１つのワッシャ（３３８、３３９）を更に含む請求項１４記載のシステム。
【請求項１７】
制動機構（８０５）を更に含み、前記制動機構（８０５）は、ブレーキ（８３０）と、前記ブレーキ（８３０）に螺合固着されたブレーキハンドル（８１０）と、前記ブレーキハンドル（８１０）を制限するブレーキ制限素子（８２０）とを含み、前記ブレーキハンドル（８１０）は前記ブレーキ（８３０）を前記回転制御部に向かって直線的に移動させるために回転する請求項１４記載のシステム。
【請求項１８】
ねじを有する制動機構（８０５）を更に含み、前記制動機構（８０５）は前記回転軸の回転を制限するために前記ねじを前記回転軸の回転管に螺合させる請求項１４記載のシステム。
【請求項１９】
撮影素子（２２４）を有する回転軸（５４０）と、固定内視鏡軸部（５１０）と、前記固定内視鏡軸部（５１０）に固定されたモータ（５２０）と、前記モータ（５２０）に装着された駆動はめ歯歯車（５２６）と、前記回転軸（５４０）に装着された従動はめ歯歯車（５４６）とを含み、前記駆動はめ歯歯車（５２６）は前記従動はめ歯歯車（５４６）と動作係合して、前記回転軸（５４０）を前記固定内視鏡軸部（５１０）に対して回転させる内部撮影システム。
【請求項２０】
前記固定内視鏡軸部（５１０）と前記回転軸（５４０）との間に配置されて、前記固定内視鏡軸部（５１０）と前記回転軸（５４０）との間の摩擦を減少させる軸受け（５３２）を更に含む請求項１９記載のシステム。
【請求項２１】
前記回転軸（５４０）と前記制御ハンドル（２１０）との間にシールを形成するＯリング（５３４）を更に含む請求項１４又は１９に記載のシステム。
【請求項２２】
前記撮影素子（２２４）は変換器である請求項１４又は１９に記載のシステム。
【請求項２３】
前記制御ハンドル（２１０）は、前記撮影素子（２２４）を制御する撮影制御素子（２１２）を含む請求項１４又は１９に記載のシステム。
【請求項２４】
制御ハンドル（２１０）と、撮影素子（２２４）とを含むプローブにおいて、前記プローブの撮影素子（２２４）を前記制御ハンドル（２１０）に対して位置決めする方法であって、前記撮影素子（２２４）を前記制御ハンドル（２１０）に対して回転させる過程を含む方法。
【請求項２５】
前記撮影素子（２２４）を介して内部構造を撮影する過程を更に含む請求項２４記載の方法。
【請求項２６】
前記回転させる過程は、内部構造を異なる向きから撮影するために前記撮影素子（２２４）を回転させることを含む請求項２４記載の方法。
【請求項２７】
前記回転させる過程は、異なる内部構造を撮影するために前記撮影素子（２２４）を回転させることを含む請求項２４記載の方法。
【請求項２８】
前記回転させる過程は、満足できる最適の状態を得るために前記撮影素子を（２２４）を前記制御ハンドル（２１０）に対して回転させることを含む請求項２４記載の方法。
【請求項２９】
前記回転させる過程は、回転内視鏡軸部（２２０）の先端部に配置された撮影素子を前記制御ハンドル（２１０）に対して回転させる過程を含む請求項２４記載の方法。
【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
少なくとも２個のＲＦ受信コイルを備え、２以上の前記ＲＦ受信コイルで受信する核磁気共鳴信号の計測を計測空間のエンコードステップを間引くよう計測してＲＦ受信コイル毎に画像を取得し、前記ＲＦ受信コイル毎の受信感度分布を用いて各画像の折り返し除去の演算を行うと共に前記各画像を合成して１枚の画像を得る制御手段を有する磁気共鳴イメージング装置において、
前記制御手段は、前記折り返し除去演算において、前記受信感度分布の低信号領域と高信号領域とで異なる受信感度分布を用いることを特徴とする磁気共鳴イメージング装置。
【請求項２】
少なくとも２個のＲＦ受信コイルを備え、２以上の前記ＲＦ受信コイルで受信する核磁気共鳴信号の計測を計測空間のエンコードステップを間引くよう計測してＲＦ受信コイル毎に画像を取得し、前記ＲＦ受信コイル毎の受信感度分布を用いて各画像の折り返し除去の演算を行うと共に前記各画像を合成して１枚の画像を得る制御手段を有する磁気共鳴イメージング装置において、
前記制御手段は、前記折り返し除去演算において、前記受信感度分布の高信号領域のみを用いることを特徴とする磁気共鳴イメージング装置。
【請求項３】
前記制御手段は、前記折り返し除去演算において、前記低信号領域を所定の一定値に置き換えることを特徴とする請求項１記載の磁気共鳴イメージング装置。
【請求項４】
前記制御手段は、前記折り返し除去演算において、前記受信感度分布の低信号領域と高信号領域とを分けるマスクを用いることを特徴とする請求項１乃至３のいずれかに記載の磁気共鳴イメージング装置。
【請求項５】
前記制御手段は、所定の閾値に基づいて、前記２以上のＲＦ受信コイルの受信感度分布を含む全体領域の受信感度分布用いて、その前記低信号領域と前記高信号領域を分けるマスクを作成することを特徴とする請求項４記載の磁気共鳴イメージング装置。
【請求項６】
前記制御手段は、前記全体領域の受信感度分布を、前記各ＲＦ受信コイルの受信感度分布を合成して求めることを特徴とする請求項５記載の磁気共鳴イメージング装置。
【請求項７】
前記全体領域を含む領域の受信感度分布を持つ広範囲ＲＦ受信コイルを備え、
前記制御手段は、前記全体領域の受信感度分布として、前記広範囲ＲＦ受信コイルの受信感度分布を用いることを特徴とする請求項５記載の磁気共鳴イメージング装置。
【請求項８】
少なくとも２個のＲＦ受信コイルを備え、前記ＲＦ受信コイルで受信する核磁気共鳴信号の計測を計測空間のエンコードステップを間引くよう計測して各ＲＦ受信コイル毎に感度画像及び形態画像を取得し、前記ＲＦ受信コイルの感度画像に基づく感度分布から各形態画像の折り返し除去の演算を行うと共に前記各形態画像を結合して１枚の形態画像を得る制御手段を有する磁気共鳴イメージング装置において、前記制御手段は、各ＲＦ受信コイルで取得した感度画像を結合した全体感度画像を作成し、前記全体感度画像を用いて各ＲＦ受信コイルの感度分布を算出し、前記全体感度画像を用いて画像の非画像領域と画像領域を分けるマスクを作成し、前記マスクに基づいて演算を行うことを特徴とする磁気共鳴イメージング装置。
【請求項９】
計測領域全体を受信する第１のＲＦ受信コイルと、前記計測領域を少なくとも２つ以上分割した領域を受信する複数の第２のＲＦ受信コイルを備え、前記各第２のＲＦ受信コイルで受信する核磁気共鳴信号の計測を計測空間のエンコードステップを間引くよう計測して前記第２のＲＦ受信コイル毎に感度画像及び形態画像を取得し、前記第１のＲＦ受信コイルによる感度画像及び前記第２のＲＦ受信コイルによる感度画像から求めた感度分布から前記形態画像の折り返し除去の演算を行うと共に前記各形態画像を結合して１枚の形態画像を得る制御手段を有する磁気共鳴イメージング装置において、前記制御手段は、前記受信感度分布において非画像領域と画像領域を分けたマスクを作成し、前記マスクを用いて演算を行うことを特徴とする磁気共鳴イメージング装置。
【手続補正２】
【補正対象書類名】明細書
【補正対象項目名】０００６
【補正方法】変更
【補正の内容】
【０００６】
【課題を解決するための手段】
上記目的を達成するために、本発明は少なくとも２個のＲＦ受信コイルを備え、２以上の前記ＲＦ受信コイルで受信する核磁気共鳴信号の計測を計測空間のエンコードステップを間引くよう計測してＲＦ受信コイル毎に画像を取得し、前記ＲＦ受信コイル毎の受信感度分布を用いて各画像の折り返し除去の演算を行うと共に前記各画像を合成して１枚の画像を得る制御手段を有する磁気共鳴イメージング装置において、前記制御手段は、前記折り返し除去演算において、前記受信感度分布の低信号領域と高信号領域とで異なる受信感度分布を用いてもよい。  
或いは、少なくとも２個のＲＦ受信コイルを備え、２以上の前記ＲＦ受信コイルで受信する核磁気共鳴信号の計測を計測空間のエンコードステップを間引くよう計測してＲＦ受信コイル毎に画像を取得し、前記ＲＦ受信コイル毎の受信感度分布を用いて各画像の折り返し除去の演算を行うと共に前記各画像を合成して１枚の画像を得る制御手段を有する磁気共鳴イメージング装置において、前記制御手段は、前記折り返し除去演算において、前記受信感度分布の高信号領域のみを用いてもよい。
また、前記制御手段は、前記折り返し除去演算において、前記低信号領域を所定の一定値に置き換えてもよい。
また、前記制御手段は、前記折り返し除去演算において、前記受信感度分布の低信号領域と高信号領域とを分けるマスクを用いてもよい。
また、前記制御手段は、所定の閾値に基づいて、前記２以上のＲＦ受信コイルの受信感度分布を含む全体領域の受信感度分布用いて、その前記低信号領域と前記高信号領域を分けるマスクを作成してもよい。
また、前記制御手段は、前記全体領域の受信感度分布を、前記各ＲＦ受信コイルの受信感度分布を合成して求めてもよい。
【手続補正書】
【提出日】平成16年12月10日(2004.12.10)
【手続補正１】
【補正対象書類名】明細書
【補正対象項目名】請求項５
【補正方法】変更
【補正の内容】
【請求項５】
異なる複数の光波長を発する光源と、
前記光源から発せられ生体組織を透過または反射した光を受光する受光手段と、
血液の脈動に起因して前記受光手段からの各波長における受光出力信号の変動に基づいて、各波長間における減光度比Φを演算する減光度比演算手段と、
前記減光度比演算手段からの出力に基づいて少なくとも酸化ヘモグロビンおよびメトヘモグロビンの濃度比を演算する濃度比演算手段と、
患者の処置に関するイベント情報をイベント入力するためのイベント入力として手段と、前記イベント入力手段に入力された時刻およびイベント情報と、
前記濃度比演算手段の演算結果を記憶する記憶手段とを、具備することを特徴とするヘモグロビン濃度測定装置。
【手続補正２】
【補正対象書類名】明細書
【補正対象項目名】００１４
【補正方法】変更
【補正の内容】
【００１４】
しかるに、動脈血が脈動する場合は、理論的にはｎ個の光波長を使用することによって、ｎ個の血中吸光物質の濃度比を測定することが可能である。従って、酸化ヘモグロビンＯ2 Ｈb と還元ヘモグロビンＲＨb とメトヘモグロビンＭetＨb という、３種類のヘモグロビンの濃度比の測定を、２つの波長で測定することは、理論的に不可能であり、最低３つの光波長が必要となる。
【手続補正３】
【補正対象書類名】明細書
【補正対象項目名】００１８
【補正方法】変更
【補正の内容】
【００１８】
そこで、本発明者等は、従来の近赤外、赤色の他に、橙色または赤橙色を、第３の波長として使用することにより、メトヘモグロビンＭetＨb の変化による透過光の変化を、Ｓ／Ｎ比の良い状態で検出し、しかもメトヘモグロビンＭetＨb と還元ヘモグロビンＲＨb の弁別を容易にして、メトヘモグロビンＭetＨb の適正な測定を可能とすることができることを突き止めた。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
患者の血流中に造影剤を投与する工程と、
近位ステーションに患者を位置決めした時点で、患者から動脈血管系の低空間分解能ＭＲ画像を収集する工程（３０２）と、
患者を近位ステーションから遠位ステーションへ移動する工程（３１６）と、
その遠位ステーションで、患者の四肢における動脈構造の高分解能画像を再構成するのに十分な患者の四肢のＭＲデータを収集する工程（３２０）と、
患者を前記近位ステーションに戻す工程（３２２）と、
この近位ステーションで動脈血管系の高空間分解能ＭＲ画像を収集する工程（３２２）とを具備することを特徴とする末梢血管系撮影方法。
【請求項２】
前記の低空間分解能ＭＲ画像並びに高空間分解能ＭＲ画像からの低空間周波数ＭＲｋ空間データと高空間周波数ＭＲｋ空間データを組み合わせて、動脈血管系（８４）の高空間分解能画像を再構成する工程（３２６）を更に含むことを特徴とする請求項１記載の方法。
【請求項３】
造影剤の通過と共に患者テーブル（７２）を自動的に移動するために、透視スキャンをＭＲデータ収集とインタリーブさせる工程（３０８）を更に含むことを特徴とする請求項１または２に記載の方法。
【請求項４】
医療用撮影スキャナを制御するためのコンピュータプログラムにおいて、コンピュータを制御するために、
少なくとも１つの近位ステーションと、少なくとも１つの遠位ステーションとを含むように、複数のスキャンステーション（７６、７８、８０）を通って患者テーブル（７２）を移動するための命令（３０２，３０４）と、
前記少なくとも１つの近位ステーションに前記患者テーブル（７２）を位置決めするための命令（３０２）と、
低分解能ＭＲ画像を再構成するのに十分な造影剤ボーラス（９２）を投与した後、前記少なくとも１つの近位ステーションで急速にＭＲデータを収集するための命令（３０２）と、
前記患者テーブル（７２）を前記少なくとも１つの遠位ステーションへ移動するための命令（３０４）と、
前記少なくとも１つの遠位ステーションで（３０４）、高分解能画像を再構成するのに十分なＭＲデータを収集するための命令（３２０）と、
前記患者テーブル（７２）を前記少なくとも１つの近位ステーションに戻すための命令（３０２）と、
前記少なくとも１つの近位ステーション（３０２）で急速に収集されたＭＲ画像より高い空間分解能のＭＲ画像を収集するための命令（３２２）とを有することを特徴とするコンピュータプログラム。
【請求項５】
前記遠位ステーション（３０４）における末梢血管系の最適撮影のために、高分解能ＭＲデータ（３２２）は造影剤ボーラス（９２）の到着中に収集されることを特徴とする請求項４記載のコンピュータプログラム。
【請求項６】
患者（７０）の体内を通過する造影剤ボーラス（９２）の動きを追跡するための命令（１１４）と、
造影剤（９２）をクリアするように前記患者テーブル（７２）を定期的に移動させて、ＭＲデータ（１０４）を収集するための命令とを更に有することを特徴とする請求項４または５に記載のコンピュータプログラム。
【請求項７】
造影剤（９２）を患者（７０）に投与する工程と、
造影剤（９２）が患者（７０）の体内を通過するのを追跡する工程と、
四肢の遠位部分（３０４）の動脈構造がＭＲスキャナのＦＯＶに入るように患者（７０）を位置決めする工程と、
四肢の遠位部分（３２０）の動脈構造の高分解能画像を収集する工程と、
残る動脈構造が前記ＭＲスキャナのＦＯＶに入るように患者（７０）を移動する工程と、
残る動脈構造のＭＲ画像（３２２）を収集する工程とから成るＭＲＡ検査。
【請求項８】
残る動脈構造から収集されたＭＲデータから後処理で動脈構造及び静脈構造を分離する工程を更に含むことを特徴とする請求項７記載のＭＲＡ検査。
【請求項９】
ＭＲＡ画像を収集するためのＭＲＩ装置において、
分極磁界を印加するためにマグネット（５４）の孔の周囲に配置された複数の勾配コイル（５０）と、パルスモジュール（３８）により制御され、ＭＲ画像を収集するためにＲＦ信号をＲＦコイルアセンブリ（５６）へ送信するＲＦトランシーバシステム（５８）及びＲＦスイッチ（６２）とを有する磁気共鳴撮影（ＭＲＩ）システム（１０）と、プログラムされたコンピュータとを具備し、このコンピュータは、
このコンピュータは、
患者（７０）の体内における造影剤ボーラス（９２）の通過の指示を受信し、
第１の近位ステーション（３０２）で低空間分解能画像データセットを収集し、
各近位ステーション（３０２）についてＭＲデータが収集されるまで、低空間分解能画像データセットの収集が完了するたびに造影剤ボーラス（９２）の通過を追跡し、それに応答して患者テーブル（７２）を移動し、
遠位ステーション（３０４）で高空間分解能画像データセットを収集し、且つ
前記患者テーブル（７２）を第１の近位ステーション（３０２）へ移動し、各近位ステーションについて高空間分解能画像データセットを収集するようにプログラムされていることを特徴とするＭＲＩ装置。
【請求項１０】
前記コンピュータプログラムは、
前記患者テーブル（７２）を第１の近位ステーション（３０２）へ戻し、且つ
低空間分解能画像データセットが収集された各近位ステーション（３０２）で高空間分解能画像データセットを収集するように更にプログラムされていることを特徴とする請求項９記載のＭＲＩ装置。
【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
第１の分離スイッチを介してノードに動作可能に接続された第１の電源と、第２の分離スイッチを介してノードに動作可能に接続された第２の電源を含むＭＯＳＦＥＴ分離スイッチ式電源システムのアクティブ保護回路であって、
前記第１の電源の第１の電源出力電圧をモニタして、前記第１の電源出力電圧が第１の予め選択された量だけ第１の予め選択された電圧レベルから逸脱しているか否かを表示する第１の出力を生成する第１の電源モニタ回路と、
前記第１の分離スイッチ及び前記第２の分離スイッチを制御するように接続されているとともに、前記第１の出力を前記第１の電源モニタ回路から受信するように接続されており、前記第１の電源出力電圧が前記第１の予め選択された量だけ前記第１の予め選択された電圧レベルから逸脱している場合、前記第１の分離スイッチをＯＦＦモードにして電流が流れるのを阻止し、前記第２の分離スイッチをＯＮモードにして前記第２の電源から電流が流れるのを可能にするコントローラと、
前記第１の分離スイッチを流れる逆電流を検出し、逆電流を検出すると逆電流標識信号を生成する第１の逆電流モニタ回路と
を含み、ここで、
前記逆電流が前記第１の分離スイッチを流れるのが検出されると、前記逆電流モニタ回路は、前記第１の分離スイッチを前記ＯＦＦモードにし、前記第２の分離スイッチをＯＮモードにし、
前記第１の逆電流モニタ回路は、
前記第１の分離スイッチの第１の入力と第１の出力との間に動作可能に接続されて、前記第１の入力と前記第１の出力との間の電圧降下を表わす第１の差動増幅器出力を生成する第１の差動増幅器と、
前記第１の作動増幅器出力と予め選択された電圧基準値とを受けるように動作可能に接続され、前記第１の分離スイッチを通じて逆電流が流れているかかどうかを示す前記第１の電圧コンパレータ出力を生成する第１の電圧コンパレータと
を含むものである、アクティブ保護回路。
【請求項２】
前記第２の分離スイッチを流れる逆電流を検出し、前記逆電流を検出すると前記逆電流標識信号を生成する第２の逆電流モニタ回路を含み、
前記逆電流が前記第２の分離スイッチを流れるのが検出されると、前記第２の逆電流モニタ回路は、前記第２の分離スイッチを前記ＯＦＦモードにし、前記第１の分離スイッチをＯＮモードにし、
前記第２の逆電流モニタ回路は、
前記第２の分離スイッチの第２の入力と第２の出力との間に動作可能に接続されて、前記第２の入力と前記第２の出力との間の電圧降下を表わす第２の差動増幅器出力を生成する第２の差動増幅器と、
前記第２の作動増幅器出力と予め選択された電圧基準値とを受けるように動作可能に接続され、前記第２の分離スイッチを通じて逆電流が流れているかかどうかを示す前記第２の電圧コンパレータ出力を生成する第２の電圧コンパレータと
を含むものである、
請求項１に記載のアクティブ保護回路。
【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
以下の群から選択されるＤＮＡ。
（ａ）配列表の配列番号４１のヌクレオチド番号１乃至１３８０で示される塩基配列を１つ又は複数含むことからなり、ＭＬ−２３６Ｂ生産微生物内に導入されることにより該生産微生物のＭＬ−２３６Ｂ生合成を促進することを特徴とするＤＮＡ：
（ｂ）（ａ）記載のＤＮＡとストリンジェントな条件下でハイブリダイズし、ＭＬ−２３６Ｂ生産微生物内に導入されることにより該生産微生物のＭＬ−２３６Ｂ生合成を促進することを特徴とするＤＮＡ。
【請求項２】
形質転換大腸菌  Ｅ．ｃｏｌｉ  ｐＳＡＫｅｘｐＲ  ＳＡＮＫ  ７２５９９株（ＦＥＲＭ  ＢＰ−７００６）より得ることができる、請求項１記載のＤＮＡ。
【請求項３】
請求項１又は２に記載のＤＮＡを含む組換えＤＮＡベクター。
【請求項４】
形質転換大腸菌  Ｅ．ｃｏｌｉ  ｐＳＡＫｅｘｐＲ  ＳＡＮＫ  ７２５９９（ＦＥＲＭ  ＢＰ−７００６）株より得ることができる、請求項３記載の組換えＤＮＡベクター。
【請求項５】
請求項３又は４に記載の組換えＤＮＡベクターで形質転換された宿主細胞。
【請求項６】
ＭＬ−２３６Ｂ生産微生物であることを特徴とする請求項５記載の宿主細胞。
【請求項７】
ペニシリウム・シトリナム（Penicillium citrinum）であることを特徴とする、請求項６記載の宿主細胞。
【請求項８】
請求項６又は７記載の宿主細胞を培養し、次いで該培養物からＭＬ−２３６Ｂを回収することを特徴とする、ＭＬ−２３６Ｂの製造法。
【請求項９】
大腸菌であることを特徴とする、請求項５記載の宿主細胞。
【請求項１０】
形質転換大腸菌  Ｅ．ｃｏｌｉ  ｐＳＡＫｅｘｐＲ  ＳＡＮＫ  ７２５９９（ＦＥＲＭ  ＢＰ−７００６）株である、請求項９記載の宿主細胞。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
対象原料を、酸若しくはアルカリと、これらとｐＨ緩衝作用をもつ緩衝物とを含むｐＨ緩衝溶液を用いて、当該酸若しくはアルカリと接触させる処理（以下接触処理という）することを特徴とする加工食品の調製方法。
【請求項２】
対象原料が魚介類、肉類、野菜類からなる群から選ばれた１つ以上である請求項１記載の方法。
【請求項３】
酸が、クエン酸、乳酸、酒石酸、リン酸、リンゴ酸、酢酸、グルコン酸からなる群から選ばれた１つ以上である請求項１記載の方法。
【請求項４】
アルカリが、クエン酸ナトリウム、重曹、リン酸ナトリウム、グルタミン酸ナトリウムからなる群から選ばれた１つ以上である請求項１記載の方法。
【請求項５】
該接触処理をｐＨ緩衝溶液のｐＨが３．０〜４．５の範囲となるようにして行うか（以下酸接触処理という）、あるいは、ｐＨ緩衝溶液のｐＨが６．５〜８．０の範囲となるようにして行う（以下アルカリ接触処理という）請求項１記載の方法。
【請求項６】
接触処理をｐＨ緩衝溶液を用いてボイル処理して行う請求項１又は５項に記載の方法。
【請求項７】
対象原料が、予め酸若しくはアルカリと接触させて（以下事前処理という）得られたものである請求項１又は２記載の方法。
【請求項８】
該事前処理をアルカリを含む水溶液を用いて行い、かつ、該接触処理を酸を含むｐＨ緩衝溶液を用いて行い、その後必要により、対象原料とｐＨ緩衝溶液を混合状態で保存する請求項７記載の方法。
【請求項９】
該事前処理を水溶液のｐＨが７．５〜９．０の範囲となるようにして行い、該接触処理をｐＨ緩衝溶液のｐＨが３．８〜４．４の範囲となるようにして行い、該接触処理乃至保存中のｐＨ緩衝溶液のｐＨが３．８〜６．４の範囲となるようにする請求項８記載の方法。
【請求項１０】
該事前処理に用いる水溶液のアルカリ含有量が０．１〜６．０質量％で、該接触処理に用いるｐＨ緩衝溶液の酸含有量が０．０１〜２．０質量％で、緩衝物の含有量が０．０１〜５．０質量％である請求項８又は９記載の方法。
【請求項１１】
接触処理を加熱下で行う請求項８記載の方法。
【請求項１２】
加熱条件が１２０〜１２５℃で、３０〜６０分間、Ｆ0 値２５〜３０である請求項１１記載の方法。
【請求項１３】
請求項１記載の方法によって得られた食品を含むレトルト食品。
【請求項１４】
請求項７又は１１記載の方法によって得られた食品、あるいはこれとｐＨ緩衝溶液とを容器に充填密封してなる容器入り食品。
【手続補正書】
【提出日】平成17年7月13日(2005.7.13)
【手続補正１】
【補正対象書類名】明細書
【補正対象項目名】請求項１
【補正方法】変更
【補正の内容】
【請求項１】
ユーザからの入力に基づいて文書検索システムに登録する予定の文書データを取得する登録データ取得部と、該登録データ取得部によって取得された文書データを分析してその統計情報を取得する統計情報取得部と、上記統計情報に基づいて質問文章と回答パターンを表示し、ユーザからの回答を取得する質問処理部と、上記統計情報及びユーザの回答に基づいてインデクス作成ルールに優先順位を設定し、該優先順位に基づいてインデクス作成ルールを選定するルール設定処理部と、該選定したインデクス作成ルールに基づいて上記文書検索システムにて作成したインデクスの容量を推定するインデクス容量推定部と、上記選定したインデクス作成ルールに基づいて上記文書検索システムにて作成したインデクスによる検索速度を推定する検索速度推定部と、上記推定インデクス容量及び推定検索速度を表示する表示部と、を有するインデクス作成ルール設定装置。
【手続補正書】
【提出日】平成17年9月26日(2005.9.26)
【手続補正１】
【補正対象書類名】明細書
【補正対象項目名】００５５
【補正方法】変更
【補正の内容】
【００５５】
次ぎに、システムメンテナンスでは、システムをメンテナンスモードにする。
即ち、「公開中」は、通常の運用の状態であり、「メンテナンス中」はメンテナンスモードの状態である。
「メンテナンス中」は、コース登録や、システムのメンテナンス時に使用し、システム管理者以外のログインを抑止する。
システム管理者以外のユーザがログインを実行した場合には、メンテナンス中であることを知らせるエラーメッセージが表示される。
その他、システム管理者は、このシステムに含まれる全ての情報の管理を行う権限を有している。
アクセスログ管理や学習者管理については、前記コースインストラクターの場合に比べ、全ての学習者を対象に行える点で異なるが、その他は同様なので説明を省略する。
【手続補正２】
【補正対象書類名】明細書
【補正対象項目名】図面の簡単な説明
【補正方法】変更
【補正の内容】
【図面の簡単な説明】
【図１】
学習支援システムのブロック図である。
【図２】
学習支援システムの全体を概略的に示すブロック図である。
【図３】
学習者の学習の過程に表れる画面を示すブロック図である。
【図４】
学習者の学習の過程に表れる画面であって、（ａ）はトップページ画面、（ｂ）は単元選択画面である。
【図５】
学習者の質問に対する応答の過程に表れる画面を示すブロック図である。
【図６】
学習者の質問に対する応答の過程に表れる画面であって（ａ）はＱ＆Ａ集画面、（ｂ）は質問掲示板画面、（ｃ）はＱ＆Ａ詳細画面である。
【図７】
（ａ）は学習者の検索過程で表れる画面を示すブロック図、（ｂ）は検索画面である。
【図８】
コースインストラクターの教育コミュニケーション過程で表れる画面を示すブロック図である。
【図９】
コースインストラクターの教育コミュニケーション過程で表れる画面であって（ａ）は未完結のＱ＆Ａ集画面、（ｂ）は応答内容が表示された質疑応答画面である。
【図１０】
（ａ）はコースインストラクターの公開中Ｑ＆Ａ集の編集過程で表れる画面を示すブロック図、（ｂ）は公開中Ｑ＆Ａ集画面である。
【図１１】
（ａ）はコースインストラクターの裏Ｑ＆Ａ集の閲覧過程で表れる画面を示すブロック図、（ｂ）は裏Ｑ＆Ａ画面である。
【図１２】
（ａ）はコースインストラクターのアクセスログ管理で表れる画面を示すブロック図、（ｂ）はコンテンツアクセスログ一覧画面、（ｃ）はＱ＆Ａアクセスログ一覧画面である。
【図１３】
（ａ）はコースインストラクターのログ管理で表れる画面を示すブロック図、（ｂ）は学習履歴画面である。
【図１４】
システム管理者のログインから管理メニューを表示する過程で表れる画面を示すブロック図である。
【図１５】
システム管理者のインストラクターの管理過程で表れる画面を示すブロック図である。
【図１６】
（ａ）はシステム管理者のコンテンツの管理過程で表れる画面を示すブロック図、（ｂ）はＦＴＰシステム図である。
【図１７】
コース責任者のログインから管理メニューのコンテンツの管理過程で表れる画面を示すブロック図である。
【図１８】
全体のシステムを建設機械の販売店に適用した機能ブロック図である。
【符号の説明】
１      コンピュータネットワーク
２      サーバー
３      データベース
Ｔ      端末